(57)【要約】【課題】サービスの要求の変化に応答して基地局のリソースの割り当てと配分を動的に変えるための方法を提供すること。【解決手段】この方法はＩｕｂインターフェース上で基地局から基地局コントローラに状況信号を送信する工程を含む。状況信号はＨＳＤＰＡのようなデータ送信サービス、および専用音声チャネルのような少なくとも別のサービスに関する基地局送信電力の要求に対応することも可能である。利用率情報信号の受信に応答して、基地局コントローラがＨＳＤＰＡ、および／または専用音声、データおよび／または両方が集積化された音声とデータのチャネルに割り当てられる基地局の送信電力を変えることも可能である。ＨＳＤＰＡサービスに関するユーザの状況の情報の受信に応答して基地局コントローラがＨＳＤＰＡ、および／または専用音声、データおよび／または両方が集積化された音声とデータのユーザについてその発呼の承認状況を変えることも可能である。【選択図】図２
2004166236.tif 000002
【特許請求の範囲】
【請求項１】
少なくとも別のサービスの要求の変化に対応して、データ送信サービスに割り当てられる基地局の少なくとも１つのリソースを変えるために基地局から状況信号を送信する工程を含む通信の方法。
【請求項２】
データ送信サービスおよび／または別のサービスのための少なくとも１つのリソースの要求をモニタする工程、および
データ送信サービスおよび／または別のサービスについてモニタした要求に対応する状況信号を構成する工程をさらに含む、請求項１の方法。
【請求項３】
少なくとも１つのリソースが基地局の送信電力を含む、請求項２の方法。
【請求項４】
基地局の送信電力の初期の割り当てがデータ送信サービスおよび別のサービスについて決定される、請求項３の方法。
【請求項５】
少なくとも１つの基地局リソースの割り当てを変えるための方法であって、
データ送信サービスおよび少なくとも１つの別のサービスについて少なくとも１つの基地局リソースの初期の割り当てを選択する工程、および
データ送信サービスおよび少なくとも１つの別のサービスについて少なくとも１つの基地局リソースのモニタした要求に対応する状況信号を受信する工程を含む方法。
【請求項６】
状況信号に応答して基地局の少なくとも１つのリソースを変えるために再割り当て信号を送信する工程をさらに含む、請求項５の方法。
【請求項７】
少なくとも１つのリソースが基地局の送信電力を含む、請求項６の方法。
【請求項８】
データ送信サービスが高速ダウンリンク・パケットアクセスを含み、かつ別のサービスが少なくとも１つの専用音声、データおよび／または両方が集積化された音声とデータを含む、請求項４または７の方法。
【請求項９】
状況信号が高速ダウンリンク・パケットアクセス、および／または専用音声、データおよび／または両方が集積化された音声とデータのユーザを識別する、請求項８の方法。
【請求項１０】
専用音声、データおよび／または両方が集積化された音声とデータのチャネルの要求が減少すると高速ダウンリンク・パケットアクセスの送信電力の初期割り当てが増加され、かつ／または専用音声チャネルの要求が増加すると高速ダウンリンク・パケットアクセスの送信電力の初期割り当てが低減される、請求項８の方法。
【請求項１１】
データ送信サービスおよび／または少なくとも１つの別のサービスに関する少なくとも１つのリソースの要求を測定する工程、および
データ送信サービスおよび／または別のサービスに関する少なくとも１つのリソースの測定した要求値を送信する工程を含む通信の方法。
【請求項１２】
測定した要求値が周期的に発生開始および送信され、かつ／または測定した要求値が閾値よりも上に上がることおよび／または下に下がることに応答して送信される、請求項１１の方法。
【請求項１３】
少なくとも１つのリソースが基地局の送信電力を含み、データ送信サービスが高速ダウンリンク・パケットアクセスを含み、かつ別のサービスが少なくとも１つの専用音声、データおよび／または両方が集積化された音声とデータを含む、請求項１１の方法。
【請求項１４】
送信電力が、要求を測定する工程の前の初期に、高速ダウンリンク・パケットアクセス、および専用音声、データおよび／または両方が集積化された音声とデータに割り当てられる、請求項１３の方法。
【請求項１５】
専用音声、データおよび／または両方が集積化された音声とデータの測定された要求値が減少すると高速ダウンリンク・パケットアクセスの初期割り当ての送信電力が増加され、かつ／または専用音声、データおよび／または両方が集積化された音声とデータの測定された要求値が増加すると高速ダウンリンク・パケットアクセスの初期割り当ての送信電力が低減される、請求項１３の方法。
【発明の詳細な説明】
【技術分野】
【０００１】
本発明は、データ通信に関する。
【背景技術】
【０００２】
無線通信システムはいくつかの地理的に分散したセルラー通信サイトまたは基地局を使用する。各々の基地局は、定位置または固定の無線通信装置またはユニットへのおよびそこからの通信信号の送信と受信をサポートする。各基地局は一般的にセル／セクタと称される特定の領域にわたって通信を取り扱う。無線通信システムの全体的カバレージ範囲は展開した基地局のセルの組合によって規定される。ここで、システムの外側境界内で可能な隣接通信を保証するために、隣接もしくは近隣のセル・サイトのカバレージ範囲がオーバーラップすることは可能である。
【０００３】
稼動中は、無線ユニットはフォワード・リンクもしくはダウンリンク上で少なくとも１つの基地局から信号を受信し、リバース・リンクもしくはアップリンク上で少なくとも１つの基地局へと信号を送信する。セルラー通信システムでリンクもしくはチャネルを規定するためにいくつかの取り組み方が開発されてきた。これらの計画には、例えばＴＤＭＡ（時分割多元接続）およびＣＤＭＡ（符号分割多元接続）が含まれる。
ＴＤＭＡ通信システムでは、電波スペクトルがタイムスロット内に分割される。各タイムスロットは一人のユーザだけに送信および／または受信することを許容する。したがって、ＴＤＭＡは、各々のユーザが彼等の割り当て時間内に彼等の情報を送信することができるように送信機と受信機の間の正確なタイミングを必要とする。
ＣＤＭＡ通信システムでは、異なる無線チャネルが異なるチャネル化符号もしくは手順によって区別される。これら区別されたチャネル化符号は異なる情報ストリームを符号化するのに使用され、その後に、それらが同時送信のために１つまたは複数の異なるキャリヤ周波数で変調されることもあり得る。受信機は、受信信号を符号解読するために適切な符号もしくは手順を使用して、受信信号から特定のストリームを回収する。
【０００４】
図１を参照すると、無線通信をサポートする代表的なネットワーク１０が示されている。ここで、ネットワーク１０は、例えばＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（「ＵＭＴＳ」）を含むいくつかの体系のうちの１つを収容することが可能である。ネットワーク１０は無線アクセス・ネットワーク（「ＲＡＮ」）１２とコア・ネットワーク１４に分割されることもあり得る。ＲＡＮ１２は無線ユニット１８ａと１８ｂおよびネットワーク１０の間の無線インターフェース１６ａと１６ｂをサポートするのに使用される装置を有する。ＲＡＮ１２はさらに、ノードＢ群もしくは基地局群２０ａ〜２０ｃ、ならびにいくつかの無線ネットワークもしくは基地局コントローラ（「ＲＮＣ」）２２ａと２２ｂを有する。ノードＢ群とＲＮＣ群の間の信号交換は一般的にＩｕｂインターフェースと称され、それに対してＲＮＣ自体の間のインターフェースは一般的にＩｕｒインターフェースと称される。ＩｕｂおよびＩｕｒインターフェース両方の搬送メカニズムは、概して、非同期伝達モード（「ＡＴＭ」）に基づいている。
【０００５】
コア・ネットワーク１４は、回線を主体とする通信ならびにパケットを主体とする通信をサポートするネットワーク素子を含む。無線ユニット１８ｂと公衆交換電話網（「ＰＳＴＮ」）２４もしくは他の無線ユニットの間の回線主体通信を扱う回線チャネルを確立するために、無線インターフェースもしくはリンク１６ｂ上で、基地局２０ｂは符号化された情報（回線音声または回線交換データ）を（アップ・リンクで）受信し、（ダウンリンクで）送信する。ＲＮＣ２２ａと２２ｂは各々、例えばフレーム選択、暗号化、およびアクセス・ネットワーク・モビリティの取り扱いを含むいくつかの機能を実行することができる。上記の範例では、ＲＮＣ２２ｂは回線音声と回線交換データを、非同期伝達モード（「ＡＴＭ」）／インターネット・プロトコル（「ＩＰ」）ネットワークのようなネットワーク上でモバイル交換センター（「ＭＳＣ」）３０へと送る。ＭＳＣ３０は発呼処理およびＭＳＣ準位上のマクロモビリティに対応可能である。ＭＳＣ３０は無線ユニット１８ｂとＰＳＴＮ２４の間の接続を確立する。
【０００６】
無線ユニット１８ａとインターネットのようなパケット・データ・ネットワーク（「ＰＤＮ」）３４の間のパケット主体の通信を扱うパケット・チャネルを確立するために、無線インターフェースもしくはリンク１６ａ上で、基地局２０ａは符号化された情報を（アップ・リンクで）受信し、（ダウンリンクで）送信する。アップ・リンク方向で、ＲＮＣ２２ａは無線ユニット１８ａによって送られた通りにパケットを再編成し、それらをＳＧＳＮ４０へと転送する。ダウンリンク方向で、ＲＮＣ２２ａはパケットを受信し、その処理および無線リンク１６ａを横切るデータを実行することのできる基地局に伝達されるのに適正なサイズのパケットにそれらを区切る。ＳＧＳＮ４０はパケット・データのセッション処理およびネットワーク１０のためのマクロモビリティのサポートを提供する。ＳＧＳＮ４０は無線ユニット１８ａとＰＤＮ３４の間の接続を確立する。ＧＧＳＮ４２は外部ＰＤＮへのゲートウェイである。ＧＧＳＮ４２はＳＧＳＮ４０からパケット・データ・プロトコル（ＰＤＰ）セッション確立を要求されると動作する。
【０００７】
音声用途については、従来のセルラー通信システムは無線ユニットと基地局の間の専用のリンクを使用する。音声通信は性質上遅延を許容しない。したがって、無線セルラー通信システムの無線ユニットは１つまたは複数の専用リンク上で信号を送信および受信する。各々の稼動無線ユニットは、概して、ダウンリンク上の専用のリンクならびにアップ・リンク上の専用のリンクの割り当てを必要とする。
【０００８】
インターネットの急拡大およびデータの要求の増加に伴なって、セルラー通信システム内でリソース・マネジメントが大きな課題となってきた。高速ダウンリンク・パケットアクセス（「ＨＳＤＰＡ」）を使用するそれのような次世代無線通信システムはインターネット・アクセスおよびマルチメディア通信のサポートに上質のデータ・サービスを提供すると期待される。しかしながら、データ通信は、音声とは違って、潜在的にバースト型であるが相対的に遅延に許容力を有することができる。データ通信のためのシステムは、それ自体では、ダウンリンクもしくはアップ・リンク上の専用リンクで効率的になり得ない。さらに効率的なデータ通信システムは、もしもシステムがいくつかの無線ユニットと共有される１つまたは複数のチャネルを使用するならば可能となり得る。この配列によって、ダウンリンク上の無線ユニットの各々は利用可能なリソースを共有し、そこではダウンリンク送信はリソース・マネジメント処理を通じてユーザ（達）に割り振られる。ダウンリンク内の管理対象のリソースには、例えば、ノードＢによって割り当てられる送信電力、チャネル化符号、および／または各ユーザによって同じセクタもしくはセルならびに他のセクタもしくはセルの他のユーザに対して引き起こされる干渉が含まれる。
【０００９】
ＨＳＤＰＡサービスを提供するノードＢのダウンリンク上のリソースの総合的な管理は、無線ネットワーク・コントローラ、例えば、図１のＲＮＣ２２ａおよび／またはＲＮＣ２２ｂによって実行される。さらに特定すると、ＲＮＣは、例えばＨＳＤＰＡサービスをサポートする各ノードＢのための送信電力の割り当てを決定する。その結果、ＨＳＤＰＡと非ＨＳＤＰＡ用途間のノードＢリソースの配分はＲＮＣによって決定される。本開示の目的で、非ＨＳＤＰＡ用途には音声およびその他の遅延非許容性のトラヒック・サービスが含まれ、それらはＲＮＣによって、ＨＳＤＰＡサービス上で専用チャネルによって優先権を与えられる。したがって、範例となるＲＮＣが、例えば音声サービス用にノードＢの電力の７０％を割り当て、その結果、３０％のうちの最大量をＨＳＤＰＡサービスに割り当てるように決定することもあり得る。
しかしながら、時間が経てば音声とＨＳＤＰＡサービスの間のリソースの割り当てと配分は変更を余儀なくされる可能性がある。しかしながら、音声サービスのための要求量はＨＳＤＰＡサービスをサポートするリソースの必要性と比較すると減少する可能性がある。例えば、ノードＢが送信電力の４０％しか必要としなくてよいほどに音声サービスのための要求量が低下する可能性がある。こうして、ノードＢの送信電力の効率は、この範例では、ＨＳＤＰＡサービスが未使用の音声サービス送信電力を使用することを許されるかどうかの関心事となる可能性がある。
【発明の開示】
【発明が解決しようとする課題】
【００１０】
現在、割り当てと配分に対するいかなる変更もＲＮＣによって中央集中方式で静的に為されている。これら変更の静的な性質はかなりの時間的期間を費やす可能性がある。このタイムラグは、例えば何時間および／または何日にもわたって音声および／またはＨＳＤＰＡサービスの統計的使用量を測定かつ評価する必要性に起因する可能性がある。これはさらにＲＮＣとノードＢの間の比較的大きな反応時間によって強化される。例えば、測定の問い合わせが最初にＲＮＣによってノードＢに対して開始される可能性があり、その後、そのような問い合わせに対する応答がノードＢによってＲＮＣに返信される可能性がある。これらの測定が実行される後にのみ、ＲＮＣは適切な変更を行うのに先だって割り当てと配分が非効率であると判定することが可能である。
したがって、現在のＲＮＣによるノードＢの制御リソースの中央集中的な割り当てと配分は、サービスの要求性に潜在する変動を与えられると非効率的かつ時間を浪費するものである。それゆえに、サービスの要求性の変化に応答する基地局リソースの管理における変更を容易にするさらに効率的な方法の必要性が存在する。
【課題を解決するための手段】
【００１１】
本発明は、サービスの要求性の変化に対応して基地局リソースの割り当てと配分を動的に変更する方法を提供する。さらに特定すると、本発明は、基地局のリソースを再割り当てするための脱中央集中的な方法を提供する。本発明の脱中央集中的な手法は基地局コントローラによって決定されるリソース割り当ての効率を確認する基地局の能力に依存するものである。
【００１２】
本発明の実施形態では、例えば音声およびＨＳＤＰＡのような提供サービスの要求の変動に対応して基地局のリソースの割り当ての変更を達成するために状況信号が送信される。この信号は基地局によって基地局コントローラに送信できる。この信号が、例えば、基地局コントローラの要求に対応してＨＳＤＰＡサービスの基地局に割り当てる電力を増加させ、それに対して非ＨＳＤＰＡサービスに割り当てる電力を減少させること、あるいはその逆を行う可能性がある。この信号は、提供サービスに関するユーザの要求を基地局がモニタすることによって、各サービスに割り当てられるリソースを考慮して促されることもあり得る。
本発明のまた別の実施形態では、状況信号は基地局によって開始および送信される。この状況信号は、基地局によって提供される、例えば音声およびＨＳＤＰＡのようなサービスのためのリソース割り当てに付随する１つまたは複数の測定値を有する。これら１つまたは複数の測定値は基地局によって自己判定される可能性がある。この状況信号は、例えば、定期的に、かつ／または閾値を上回って上昇し、かつ／または下回って下降するリソースの使用によって送信されることもあり得る。
【００１３】
本発明は、添付の図面を参照しながら以下の限定されない実施形態の説明を読むことでさらによく理解されるであろう。
即席用途の図面は尺度を考慮せず、単に図式的な表示であり、したがって本発明の特定の寸法を描写することは意図されておらず、それらは当業者がこの開示を実験することを通じて決定される可能性がある。
【発明を実施するための最良の形態】
【００１４】
本発明は基地局のリソースの割り当てと配分を動的に変更するための方法に関する。本発明は使用に対応して基地局のリソースを再割り当てするための脱中央集中的な手法を使用する。これ以降に詳述するように、基地局は、その付随する基地局コントローラに対する測定値を有することも可能な信号の形式で使用情報を供給する。この使用情報は初期に各サービスに割り当てられたリソースを考慮しながらサービスの各々の要求に対応する。そうするために、基地局コントローラは送信電力のような各サービスのための基地局のリソースの割り当てを変えることもあり得る。
【００１５】
図２を参照すると、本発明の実施形態を描くフローチャートが例示されている。さらに特定すると、例えば、無線ユーザによってデータ送信サービスおよび１つまたは複数の他のサービスに関する要求の変動に対応して送信電力のような基地局リソースを変えるための方法（１００）が示されている。本実施形態の目的で、データ送信サービスはＨＳＤＰＡサービスによって実現され、それに対してその他のサービスは、１つまたは複数の専用チャネルを使用する音声用途を少なくとも含む。したがって、本実施形態は、例えば音声サービスの専用チャネル（群）にアクセスする無線ユーザが当初の割り当てよりも少ない場合に、ＨＳＤＰＡサービスのサポートにさらに大きなリソースの割り当てを可能にすることもあり得る。同様に、本実施形態は、例えば、もしもＨＳＤＰＡサービスにアクセスするユーザをサポートするのに必要なリソースが最初の割り当てよりも少ない場合に、音声サービスの専用チャネル（群）のサポートにさらに大きなリソースの割り当てを可能にすることもあり得る。
【００１６】
初期に、例えば、基地局コントローラは提供サービスの中から基地局の送信電力の配分を決定する（１１０）。音声用途が概してデータ用途、さらに特定するとデータ・パケット用途を上回る優先権をとることが前提となると、第１に、送信電力のさらに大きなパーセンテージが１つまたは複数の基地局の専用音声チャネル（例えば、または専用の音声、データおよび／または単にデータ・パケット用途と比較すると音声とデータの両方が集積化されたチャネル）の無線ユーザをサポートするために割り当てられる。その後、送信電力の残りは基地局のＨＳＤＰＡサービスにアクセスする無線ユーザをサポートするために割り当てられる。一旦この決定が完遂されると、基地局コントローラを無線アクセス・ネットワークと結合するＩｕｂインターフェースを経由して、基地局コントローラが専用音声チャネルとＨＳＤＰＡサービスの間の送信電力の初期の割り当てを基地局に連絡する。
引き続いて、基地局は専用音声チャネルとＨＳＤＰＡサービスのサポートの送信電力の利用率をモニタする（１２０）。モニタリングのこの工程には基地局によって提供されるサービスに関する無線ユーザの要求の評価が含まれる。ここで、使用中の送信電力が各々のサービスについて調査される。この調査は基地局コントローラによって決定された初期のリソース割り当てを考慮して為される。それ自体で、基地局は初期の割り当てから使用量のパーセンテージなどを推論することが可能である。
【００１７】
一旦、各サービスについて送信電力の使用量が初期の割り当てとの比較で確認されると、基地局が相当する状況信号を基地局コントローラに送信することも可能である。状況信号は専用音声チャネルとＨＳＤＰＡサービスに関するモニタした要求に対応するように構成される。或る範例では、状況信号もやはり専用音声チャネルとＨＳＤＰＡサービスに関するリソース測定情報を含む。状況信号はＩｕｂインターフェースを経由して送信され、他方のサービス以上に一方のサービスのためのさらに多くの基地局リソースの再割り当てを、両方の利用率を考慮しながら引き起こす。状況信号が、専用音声チャネル（群）および／またはＨＳＤＰＡサービスにアクセスするユーザの状況を識別することもやはり可能であることに留意すべきである。
【００１８】
或る範例では、専用音声チャネルのための初期の割り当ては利用可能な基地局送信電力の７０％である。しかしながら、専用音声チャネルをサポートする送信電力が４０％しかないことも可能である。結果として、基地局のＨＳＤＰＡサービスへのアクセスを求めるユーザが本来の割り当ての３０％よりも多くの送信電力割り当てで恩恵を受けることができることを基地局コントローラに知らせるために状況信号が基地局によって送信される。このシナリオで、ＨＳＤＰＡサービスに関するユーザの数および／または要求が、潜在する未使用送信電力のいくらかを専用音声チャネルから再割り当てする必要性を高めることもあり得る。
しかしながら、逆もまた真であり得ることに留意すべきである。ここで、基地局の専用音声チャネルにアクセスするユーザの数および／または要求が初期の予想割り当てよりも有意に多い可能性があることを状況信号が基地局コントローラに知らせることもあり得る。その結果、状況信号はＨＳＤＰＡサービスのサポートに対する割り当てから未使用送信電力のいくらかを再割り当てする必要性を高める。
【００１９】
基地局コントローラによって状況信号が受信された後、基地局の送信電力の再割り当てが必要かどうかに関する判定が為される（１３０）。ここで、状況信号の中に見出せることもあり得るような、専用音声チャネル（群）および／またはＨＳＤＰＡサービスのための初期の割り当て送信電力の利用率が基地局コントローラによって調査される。基地局コントローラはまた、特定のトラヒックのパターンを含むいくつかの追加的な因子も調査する可能性がある。さらに、基地局コントローラは、専用音声チャネル（群）および／またはＨＳＤＰＡサービスにアクセスするユーザの大多数が追加的な恩恵／特典に伴なう割増料金を支払う顧客であるかどうかについてもやはり考慮することが可能である。
もしも基地局コントローラが、例えば初期割り当ての送信電力の利用率がきっかけとなる閾値よりも下に落ちていると判定すれば、再割り当ては実行されない。フィードバック・ループ（１４０）がフローチャートを本方法（１００）の本体に戻す。さらに特定すると、フィードバック・ループ（１４０）は、専用音声チャネルおよびＨＳＤＰＡサービスをサポートする送信電力の利用率の連続的なモニタリング（１２０）の中に基地局を保持する。
【００２０】
場合によっては、基地局コントローラは、初期割り当ての送信電力の利用率がきっかけとなる閾値の上にあると判定することもあり得る（１６０）。この状況では、基地局コントローラは専用音声チャネルおよび／またはＨＳＤＰＡサービスにアクセスするユーザのサポートにさらに効果的に基地局送信電力を再割り当ておよび再配分する。結果として、例えば基地局はＨＳＤＰＡサービスに割り当てられた未使用の送信電力を有することが可能となる。その結果、高速ダウンリンク・パケットアクセスのための送信電力の初期割り当てがこの判定によって増大する可能性がある。しかしながら、ＨＳＤＰＡのための送信電力割り当てのこの増大は専用音声チャネル（群）の送信電力利用率が初期に割り当てられたリソースから減少する結果である。同様に、専用音声チャネルの要求が増大して高速ダウンリンク・パケットアクセスの送信電力の初期割り当てが場合によっては減少する可能性がある。
【００２１】
一旦、基地局送信電力が再割り当ておよび再配分（１５０）されてしまうと、方法（１０）の第１の経路は概して完遂される。しかしながら、基地局送信電力の連続的で動的な割り当てと配分を容易にするために、方法（１００）は第２のフィードバック・ループ（１６０）を使用する。この第２のフィードバック・ループ（１４０）は本方法（１００）の制御を、基地局による専用音声チャネルおよびＨＳＤＰＡサービスをサポートする送信電力の利用率の連続的なモニタリング（１２０）へと戻す。
【００２２】
図３を参照すると、本発明の一実施形態を描くフローチャートが例示されている。さらに特定すると、基地局のリソース、例えば送信電力の利用率を基地局コントローラに連絡するための方法（２００）が示されている。この連絡は、例えば、専用音声チャネル群とＨＳＤＰＡサービスの間の送信電力の割り当ての変更を達成する。
初期に、基地局コントローラは、例えば提供サービスの中の基地局送信電力の配分を決定する（２１０）。回線交換用途（例えば専用音声もしくはデータ用途）が概してパケット交換データ用途（例えばＨＳＤＰＡサービス）以上の優先権をとるという前提で、最初に、一層多くのパーセンテージの送信電力が１つまたは複数の基地局の専用音声チャネルの無線ユーザをサポートするのに割り当てられる可能性がある。その後、残りの送信電力が基地局のＨＳＤＰＡサービスにアクセスする無線ユーザをサポートするために割り当てられる。一旦この決定が完遂されると、基地局コントローラを無線アクセス・ネットワークと結合するＩｕｂインターフェースを経由して、基地局コントローラは専用音声チャネルとＨＳＤＰＡサービスの間の送信電力の初期割り当てを基地局に連絡する。
【００２３】
引き続いて、基地局は専用音声チャネルとＨＳＤＰＡサービスのサポートに割り当てられた送信電力の利用率を測定する（２２０）。この測定工程には基地局によって提供されるサービスに関する無線ユーザの要求の評価が含まれる。さらに特定すると、各々のサービスのために割り当てられた量に対して、使用される送信電力が各々のサービスについて測定される。その結果、送信電力利用の効率に関する様々な統計値が基地局によって推論されることが可能となる。
測定の工程が基地局による自己判定であってもよいことに留意すべきである。それ自体で、測定工程の開始が規則的な時間的間隔の経過によって引き起こされることも可能である（例えば測定工程は周期的である）。場合によっては、例えば、送信電力利用の効率が閾値を上回って上昇するかまたは下回って低下することによって測定工程が引き起こされることも可能である。
【００２４】
その後、測定工程の結果を含む状況信号がＩｕｂインターフェース上に送信されることもあり得る（２３０）。状況信号は測定工程（２２０）の結果に対応するように構成される。状況信号はＩｕｂインターフェースを使用して送信される。状況信号がまた、専用音声チャネル（群）および／またはＨＳＤＰＡサービスにアクセスするユーザの識別をすることも可能であることに留意すべきである。
状況信号の受信に応答して、基地局コントローラは各サービスのための送信電力の初期割り当てが変更を必要とする可能性があることを判定することができる。この状況では、基地局コントローラは、専用音声またはデータ・チャネルおよび／またはＨＳＤＰＡサービスにアクセスするユーザのサポートにさらに効果的に基地局送信電力を再配分する可能性がある。結果として、基地局はＨＳＤＰＡサービスもしくは専用音声チャネル（群）のために割り当てられる送信電力を増加させることが可能となる。
【実施例】
【００２５】
本発明の実施例では、ノードＢによってＣＲＮＣに対して開始される新たな再編成メッセージが送信されてＨＳＤＰＡサービスのために割り当てられる最大電力（これ以降は「ＨＳＤＰＡ＿電力」）の再割り当てを要求する。この新たな再編成メッセージは、セルに割り当てられる最大利用可能送信電力をノードＢが活用可能となるようにＨＳＤＰＡとＤＣＨのユーザの間で効率的に電力共有することを容易にする。場合によっては、ＨＳＤＰＡ＿電力の上限の全体的除去もやはり考慮することができる。
【００２６】
ダウンリンクＤＣＨに結びついた各ＨＳＤＰＡユーザはＴＰＣ、ＴＦＣＩ、およびパイロット・ビットといった制御情報を供給されることが可能である。同様に、同じ情報がＵＬ−ＤＰＣＣＨのアップ・リンクに送り返されることが可能である。したがって、たとえＨＳＤＰＡユーザがデータ送信の予定に入っていなくても、各ＨＳＤＰＡユーザの承認と設定が符号と電力リソースの両方を使用する可能性はある。ＣＲＮＣは、ＨＳＤＰＡユーザのＣＡＣで補助をすることの可能なノードＢから以下のフィードバック、すなわち、
（１）各々の保証ビット速度（「ＧＢＲ」）要求に必要な最小必要電力および符号リソース、および
（２）優先クラス毎の現在の予定に入るかもしくは供給されるビット速度（全ユーザにわたって平均化）もやはり報せるノードＢ、
を受けることが可能である。新たなＨＳＤＰＡユーザの要求ＧＢＲに基づいて、（１）と（２）のフィードバック情報を使用して、新たなユーザに供給する充分な電力と符号が存在するかどうかＣＡＣが判定することができることもあり得る。もしも優先準位の低いユーザがその要求ＧＢＲよりも低いビット速度を得た場合、そのユーザはＣＡＣによって承認されない可能性がある。ＧＢＲはストリーミング型の用途で特に注目すべきものである。インタラクティブ型およびバックグラウンド型トラヒック・クラスのユーザについてはＧＢＲは必要とならない可能性がある。その結果、ＣＡＣは利用可能リソースとユーザの優先準位に基づいて承認するか拒否するかの決定をすることができる。
【００２７】
現在、ＣＡＣはＣＲＮＣで実行されるので、ノードＢは、ＣＲＮＣによって受け入れられたユーザにわたる制御を制限されていてもよい。このシナリオで、ノードＢにおけるＨＳＤＰＡリソースの利用率の低下が容易にされる可能性がある。Ｉｕｂ信号送信を通じた電力測定フィードバックは、ＣＲＮＣがＨＳＤＰＡ＿電力を減少させるのを可能にすることができる。場合によっては、ノードＢはＣＲＮＣに信号を送ってＨＳＤＰＡリソースを減少させること、あるいは極めて稀な、もしくは低レベルのサービスを受けてきたユーザのリストをＣＲＮＣに報せることも可能である。極めて稀な、もしくは低レベルのＨＳＤＰＡサービスを受けてきたユーザは過度の遅延を経験し、その結果、それぞれのサービス・クラスに規定されたサービスの最低遅延品質（「ＱｏＳ」）要求値を超える可能性がある。過度の遅延は上位層のエラー／フロー制御プロトコルで時間切れを引き起こす可能性がある。上位層のエラー／フロー制御プロトコルは複製データ・トラヒックをノードＢに対して発生するであろう。これはノードＢによってサービスを受けるはずの低レベルＨＳＤＰＡサービスのユーザの未処理分を増加させることにつながりかねない。
【００２８】
提案のメカニズムでもって、その後、ＣＲＮＣは専用チャネルのユーザに向けられる可能性のあるリソースを保護するために、これら極めて低レベルのサービスのユーザを除外すべきかどうか判定することも可能である。こうして、現在のメカニズムは明らかに不満足なものであって洗練される余地がある。さらに、ＧＢＲを有するユーザがノードＢのスケジューラによって満足されない可能性がある。ノードＢが適切な行動をとるようにＣＡＣに報せる可能性がある。例えば、ノードＢがＣＡＣに信号送信してＨＳＤＰＡのために割り当てられるリソースを増加させ、または特定のユーザについてＧＢＲを再交渉する可能性がある。
【００２９】
これらの欠点を考慮して、現在ＣＲＮＣによって保持されるＨＳＤＰＡのＣＡＣ機能のいくらかの制御をノードＢに再配置することが有益であろう。これは特に、ノードＢがスマート・スケジューリングまたはＨＳＤＰＡユーザのリソース・マネジメントを通じてＨＳＤＰＡリソースのための無線リソース・マネジメントを導入し、ＱｏＳ保証のためのＨＡＲＱメカニズムを制御する前提のケースである。ノードＢにＨＳＤＰＡのＣＡＣの機能を分散させると、ＨＳＤＰＡのためにノードＢで高速のスケジューリングを容易にし得る効率的で効果的な無線リソース・マネジメントを可能にすることができる。
【００３０】
具体的例示の実施形態を参照しながら特定の考案を説明してきたが、この説明は限定の意味に解釈されることを意味するものではない。本発明を説明してきたが、この説明を参考にした当業者にとって、添付の特許請求項に列挙したような本発明の精神から逸脱するのない例示的な実施形態の様々な改造、ならびに本発明の追加的な実施形態は明らかであろう。したがって、方法、システムとそれらの一部および説明した方法とシステムの一部は、ネットワーク素子、無線ユニット、基地局、基地局コントローラ、モバイル交換センターおよびレーダ・システムといった多様な場所で導入される可能性がある。さらに、説明したシステムを導入して使用するのに必要となる処理回路は、この開示の利点でもって当業者には理解されるであろうが、用途に特異の集積回路、ソフトウェア駆動型処理回路、ファームウェア、プログラマブル論理デバイス、ハードウェア、ディスクリート部品あるいは上記の部品の配列で導入することが可能である。これらおよび様々な他の改造、配列および方法がここで例示および説明した範例的な応用に厳密に従うことなく、かつ本発明の精神と範囲から逸脱することなく為し得ることは当業者に容易に判るであろう。したがって、添付の特許請求項からいかなるそのような改造もしくは実施形態も本発明の真の範囲内に入ることが意図される。
【図面の簡単な説明】
【００３１】
【図１】知られているネットワーク体系を描くブロック図である。
【図２】本発明の実施形態を描く図である。
【図３】本発明の別の実施形態を描く図である。
【図１】
2004166236.tif 000003
【図２】
2004166236.tif 000004
【図３】
2004166236.tif 000005